(57)【要約】【課題】  情報記録再生装置のマイク録音の操作性を向上させる。【解決手段】  本発明の情報記録再生装置は、マイク２０４とリモコン２０１とが一体的に構成されている。それにより、操作者は別途マイクを購入することなく、リモコン２０１から、ヘッドホンジャック１０５とマイクジャック１０６ａとにそれぞれ端子を挿入するだけで、マイク録音の準備を完了させることができる。また、リモコン２０１には、マイク２０４を操作するためのキー２０３と、マイク２０４の操作状況を示す表示部２０２とが設けられている。また、再生時に、ディスク１００から読み出された音と、マイク２０４から入力された音とをミックスするミックス回路１１３を備えている。【選択図】  図１
2005302080.tif 000002
【特許請求の範囲】
【請求項１】
マイクを使用して記録媒体に音を記録するとともに記録された音を上記記録媒体から再生する装置本体を有し、該装置本体を遠隔操作するためのリモコンを備えた情報記録再生装置において、
上記マイクと上記リモコンとが一体的に構成されていることを特徴とする情報記録再生装置。
【請求項２】
上記リモコンに、上記マイクを操作するためのマイク操作素子と、マイクの操作状況を示す表示部とが設けられていることを特徴とする請求項１に記載の情報記録再生装置。
【請求項３】
再生時に、上記記録媒体から読み出された音と、上記マイクから入力された音とをミックスするミックス回路を備えたことを特徴とする請求項１に記載の情報記録再生装置。
【請求項４】
マイクを使用して音の記録を行う情報記録再生装置の装置本体を遠隔操作するリモコンにおいて、
マイクを内蔵していることを特徴とするリモコン。
【発明の詳細な説明】
【技術分野】
【０００１】
本発明は、例えばアナログ情報をデジタル化して、または、デジタル情報をそのまま光磁気ディスク等の記録媒体に高密度で記録することが可能な情報記録再生装置およびリモコンに関するものである。
【背景技術】
【０００２】
従来例について図５ないし図７に基づいて説明すれば、以下の通りである。
【０００３】
従来例に係る情報記録再生装置は、光磁気ディスクに、音声データ等のアナログ情報をデジタル化して記録するようになっており、したがって、光磁気ディスクには、音声データ等のアナログ情報がデジタル化して書き込まれる記憶領域を有している。上記情報記録再生装置９１において、図５に示すように、装置本体９２の内部には、ピックアップ１０１と、ＲＦＩＣ（無線周波数集積回路）１０２と、ＤＳＰ（デジタル信号プロセッサ）１０３と、１Ｂｉｔアンプ１０４と、ヘッドホンジャック１０５と、マイクジャック１０６と、マイクアンプ１０７と、ＡＤ（アナログ／デジタル）コンバータ１０８と、記録ヘッド回路１０９と、システムマイコン１１０と、表示部１１１と、キー１１２とを備えている。なお、各部材の名称は、図中では、それぞれアルファベットを用いて適宜簡略化して表記している。
【０００４】
マイクジャック１０６にはマイク２０４が接続されている。
【０００５】
リモコン２０１内部には表示部２０２とキー２０３とが備えられている。また、リモコン２０１にはヘッドホン３０１が接続されている。
【０００６】
ヘッドホンジャック１０５は、通常通り音声をヘッドホン３０１に出力する機能のほかに、リモコン２０１とシステムマイコン１１０とを接続することによって、リモコン２０１からの指示をシステムマイコン１１０に伝える機能も有している。
【０００７】
次に、再生時の信号の流れを図６に基づいて説明する。再生時の信号を実線で示している。ディスク１００に記録されている信号はピックアップ１０１で読み取られ、ＲＦＩＣ１０２で一定のレベルまで増幅された後ＤＳＰ１０３で所定の信号処理をされる。その信号は１Ｂｉｔアンプ１０４で増幅され、ヘッドホンジャック１０５に出力される。そこから、ケーブル２０５、リモコン２０１を経由してヘッドホン３０１から操作者の耳に音となって出力される。
【０００８】
次に、録音モニタ時の信号の流れを図７に基づいて説明する。録音モニタ時の信号を実線で示している。外部マイク２０４から入力された操作者または周りの音声は電気信号に変換され、マイクジャック１０６から装置本体９２に入力される。その信号はマイクアンプ１０７で一定のレベルまで増幅された後ＡＤコンバータ１０８でＡＤ変換されてデジタル信号になる。この信号はＤＳＰ１０３内で所定の処理をされた後記録ヘッド回路１０９に入力され、最後にディスク１００に記録される。一方ＤＳＰ１０３内でもう1つ所定の処理をされた信号は１Ｂｉｔアンプ１０４に出力されその信号は１Ｂｉｔアンプ１０４で増幅され、ヘッドホンジャック１０５に出力される。そこから、ケーブル２０５、リモコン２０１を経由してヘッドホン３０１から操作者の耳に音となって出力される。この音は、録音されている信号をモニタしている音である。
【０００９】
システムマイコン１１０は表示部１１１、キー１１２、またはリモコンの表示部２０２、キー２０３を介して操作者の入力に対しシステム全体を制御する。
【００１０】
公知文献としては以下のものを挙げることができる。
【特許文献１】特開平５−９１５８４号公報（公開日平成５年４月９日）
【発明の開示】
【発明が解決しようとする課題】
【００１１】
ところが、上記のような光磁気ディスク装置においては、マイク録音する場合は操作者がマイクジャックにマイクを挿入し、リモコンに備え付けられたキーおよび表示を見ながら録音をすることが必要であった。このため操作者はまず一般的に別売されているマイクを購入し、マイクをマイクジャックに挿入し、ここで初めてマイク録音が可能な状態となるため、マイク録音するための実際的な手順がはなはだ多く、操作者側からは操作性の向上が強く要請されている。
【００１２】
本発明は、上記の問題点に鑑みてなされたものであり、その目的は、マイク録音に関し操作性のよい情報記録再生装置およびリモコンを提供することにある。
【課題を解決するための手段】
【００１３】
上記の課題を解決するため、本発明に係る情報記録再生装置は、マイクを使用して記録媒体に音を記録するとともに記録された音を上記記録媒体から再生する装置本体を有し、該装置本体を遠隔操作するためのリモコンを備えた情報記録再生装置において、上記マイクと上記リモコンとが一体的に構成されていることを特徴としている。
【００１４】
上記の構成により、マイクとリモコンとが一体で構成されている。したがって、マイクとリモコンを一体で構成することにより、操作者は別途マイクを購入することなく、リモコンから、ヘッドホンジャックとマイクジャックとにそれぞれ端子を挿入する等、リモコンを装置本体につなぐだけで、マイク録音の準備を完了させることができる。それゆえ、マイク録音に関し操作性のよい情報記録再生装置を提供することができるという効果を奏する。
【００１５】
また、本発明に係る情報記録再生装置は、上記の構成に加えて、上記リモコンに、上記マイクを操作するためのマイク操作素子と、マイクの操作状況を示す表示部とが設けられていることを特徴としている。
【００１６】
上記の構成により、一体化したマイクを容易に操作できるマイク操作素子と、捜査状況を示す表示部とがリモコン内に設けられている。したがって、リモコンに設けてある表示を見ながら、キー等のマイク操作素子を操作することができる。それゆえ、上記の構成による効果に加えて、マイク録音が容易になるという効果を奏する。
【００１７】
また、本発明に係る情報記録再生装置は、上記の構成に加えて、再生時に、上記記録媒体から読み出された音と、上記マイクから入力された音とをミックスするミックス回路を備えたことを特徴としている。
【００１８】
上記の構成により、再生時に、上記記録媒体から読み出された音と、上記マイクから入力された音とをミックスするミックス回路が設けられている。したがって、ミックス回路を設けることにより、再生時にマイクから入力された操作者または周りの音声とミックスして再生することが可能となる。それゆえ、上記の構成による効果に加えて、例えば記録媒体から再生されるボーカルを消せば、カラオケ装置となるなど、付加価値を上げることができるという効果を奏する。
【００１９】
また、本発明に係るリモコンは、マイクを使用して音の記録を行う情報記録再生装置の装置本体を遠隔操作するリモコンにおいて、マイクを内蔵していることを特徴としている。
【００２０】
上記の構成により、マイクとリモコンとが一体で構成されている。したがって、マイクとリモコンを一体で構成することにより、操作者は別途マイクを購入することなく、リモコンから、ヘッドホンジャックとマイクジャックとにそれぞれ端子を挿入する等、リモコンを装置本体につなぐだけで、マイク録音の準備を完了させることができる。それゆえ、マイク録音に関し操作性のよい情報記録再生装置を提供することができるという効果を奏する。
【発明の効果】
【００２１】
以上のように、本発明に係る情報記録再生装置は、上記マイクと上記リモコンとが一体的に構成されている構成である。
【００２２】
また、本発明に係るリモコンは、マイクを内蔵している構成である。
【００２３】
これにより、マイクとリモコンを一体で構成することにより、操作者は別途マイクを購入することなく、リモコンから、ヘッドホンジャックとマイクジャックとにそれぞれ端子を挿入する等、リモコンを装置本体につなぐだけで、マイク録音の準備を完了させることができる。それゆえ、マイク録音に関し操作性のよい情報記録再生装置を提供することができるという効果を奏する。
【発明を実施するための最良の形態】
【００２４】
本発明の一実施形態について図１ないし図４に基づいて説明すると以下の通りである。
【００２５】
本実施形態に係る情報記録再生装置（光磁気ディスク装置）は、光磁気ディスク（記録媒体）に、音声データ等のアナログ情報をデジタル化して記録するようになっており、したがって、光磁気ディスクは、音声データ等のアナログ情報がデジタル化して書き込まれる記憶領域を有している。上記情報記録再生装置１１において、図１に示すように、装置本体１２の内部には、ピックアップ１０１と、ＲＦＩＣ（無線周波数集積回路）１０２と、ＤＳＰ（デジタル信号プロセッサ）１０３と、その内部にミックス回路１１３と、１Ｂｉｔアンプ１０４と、ヘッドホンジャック１０５と、マイクジャック１０６と、マイクアンプ１０７と、ＡＤ（アナログ／デジタル）コンバータ１０８と、記録ヘッド回路１０９と、システムマイコン１１０と、表示部１１１と、キー１１２とを備えている。なお、各部材の名称は、図中では、それぞれアルファベットを用いて適宜簡略化して表記している。
【００２６】
装置本体１２とリモコン２０１とは、一対化されたケーブル２０５で接続されていて、リモコン２０１内部には、表示部２０２とキー（マイク操作素子）２０３とマイク２０４とが備えられている。すなわち、マイク２０４とリモコン２０１とが一体的に構成されている。また、リモコン２０１にはヘッドホン３０１が接続されている。すなわち、ケーブル２０５は、リモコン２０１を装置本体１２に接続するケーブル、ヘッドホン３０１を装置本体１２に接続するケーブル、および、マイクすなわちリモコン２０１に内蔵されたマイク２０４を装置本体１２に接続するケーブルが一体化されたものとなっている。
【００２７】
ヘッドホンジャック１０５は、通常通り音声をヘッドホン３０１に出力する機能のほかに、リモコン２０１とシステムマイコン１１０とを接続することによって、リモコン２０１からの指示をシステムマイコン１１０に伝える機能も有している。なお、この構成とは異なり、音声をヘッドホン３０１に出力する機能専用のヘッドホンジャックと、リモコン２０１からの指示をシステムマイコン１１０に伝える機能専用のジャックとに分かれていてもよい。
【００２８】
キー２０３は、操作者から装置本体１２やマイク２０４への指示やデータを入力するためのものである。キー２０３を用いて、例えば装置本体１２やマイク２０４の電源のオンオフや、ヘッドホン３０１の音量調整や、ディスク１００の再生時の再生・停止・頭出し等や、マイク２０４の感度切り替え等の指示を行うことができる。ここではキー（ボタン）を採用しているが、これ以外にも、例えば、ダイヤル、レバー、スライド式スイッチ等であってもよい。
【００２９】
表示部２０２は、操作者がキー２０３を使って入力したデータや、装置本体１２やマイク２０４等の操作状況等を表示するようになっている。表示部２０２は、例えば液晶表示装置である。
【００３０】
また、装置本体１２の表示部１１１とキー１１２とは、それぞれ、リモコン２０１の表示部２０２とキー２０３と同等の機能を有している。
【００３１】
なお、ここでは、図５の従来の構成と異なり、マイクジャック１０６（１０６ａと１０６ｂの総称）は、本願のリモコン２０１用に設けられた、上記一体化されたケーブル２０５用のマイクジャック１０６ａと、従来通りの通常のマイクジャック１０６ｂとを備えており、これら２つのジャックを選択的に、あるいは両方を同時に使用可能である。また、この構成とは異なり、従来通りの通常のマイクジャック１０６ｂは省略した構成とすることもできる。
【００３２】
また、リモコン２０１のマイク２０４を使わない場合は、ケーブル２０５をマイクジャック１０６ａから抜いておくこともできる。さらにこのとき、そのマイクジャック１０６ａに、別のマイクを接続することもできる。
【００３３】
また、逆に、リモコン２０１のリモコンとしての機能を使わない場合は、ケーブル２０５をヘッドホンジャック１０５から抜いておくこともできる。さらにこのとき、そのヘッドホンジャック１０５に、別のヘッドホンを接続することもできる。
【００３４】
次に、再生時の信号の流れを図２に基づいて説明する。再生時の信号を実線で示している。ディスク１００に記録されている信号はピックアップ１０１で読み取られ、ＲＦＩＣ１０２で一定のレベルまで増幅された後ＤＳＰ１０３で所定の信号処理をされる。その信号は１Ｂｉｔアンプ１０４で増幅され、ヘッドホンジャック１０５に出力される。そこから、一体化されたケーブル２０５、リモコン２０１を経由して、ヘッドホン３０１から操作者の耳に音となって出力される。
【００３５】
次に、録音モニタ時の信号の流れを図３に基づいて説明する。録音モニタ時の信号を実線で示している。マイク２０４から入力された操作者または周りの音声は電気信号に変換され、一体化されたケーブル２０５を経由してマイクジャック１０６から情報記録再生装置１１の装置本体１２に入力される。その信号はマイクアンプ１０７で一定のレベルまで増幅された後、ＡＤコンバータ１０７でＡＤ変換されてデジタル信号になる。この信号はＤＳＰ１０３内で所定の処理をされた後、記録ヘッド回路１０９に入力され、最後にディスク１００に記録される。一方、ＤＳＰ１０３内でもう1つ所定の処理をされた信号は、１Ｂｉｔアンプ１０４に出力されその信号は１Ｂｉｔアンプ１０４で増幅され、ヘッドホンジャック１０５に出力される。そこから、一体化されたケーブル２０５、リモコン２０１を経由して、ヘッドホン３０１から操作者の耳に音となって出力される。この音は録音されている信号をモニタしている音である。
【００３６】
次に、ミックス再生時の信号の流れを図４に基づいて説明する。ミックス再生時の信号を実線で示している。マイク２０４から入力された操作者または周りの音声は電気信号に変換され、一体化されたケーブル２０５を経由してマイクジャック１０６から情報記録再生装置１１の装置本体１２に入力される。その信号はマイクアンプ１０７で一定のレベルまで増幅された後、ＡＤコンバータ１０８でＡＤ変換されてデジタル信号になる。この信号はＤＳＰ１０３内で所定の処理をされた後、ミックス回路１１３で、次に述べる再生信号とミックスされる。ディスク１００に記録されている信号はピックアップ１０１で読み取られ、ＲＦＩＣ１０２で一定のレベルまで増幅された後、ＤＳＰ１０３で所定の信号処理をされる。この２つの信号がミックスされる。その信号は１Ｂｉｔアンプ１０４で増幅され、ヘッドホンジャック１０５に出力される。そこから、一体化されたケーブル２０５、リモコン２０１を経由して、ヘッドホン３０１から操作者の耳に音となって出力される。
【００３７】
システムマイコン１１０は、表示部１１１、キー１１２、またはリモコン２０１の表示部２０２、キー２０３を介して操作者の入力に対しシステム全体を制御する。
【００３８】
以上のように、本発明の情報記録再生装置１１は、リモコン２０１にマイク２０４を内蔵し、ケーブル２０５を含めてマイク２０４とリモコン２０１とを一体化している。リモコンにマイクを内蔵していることにより、操作者に別途マイクを購入する手間をかけることなくマイク録音が可能となる。すなわち、操作者は別途マイクを購入することなく、リモコン２０１から、ヘッドホンジャック１０５とマイクジャック１０６ａとにそれぞれ端子を挿入するだけで、マイク録音の準備を完了させることができる。また、ケーブルが一体化されていることにより、リモコン２０１を装置本体１２に接続するケーブルがマイク２０４のケーブルと絡まったりする心配がない。
【００３９】
また、従来のマイクジャック１０６ｂは残っているので、別途例えば高性能マイクを接続したりすることが可能である。
【００４０】
また、リモコン２０１には、マイク２０４を操作するためのキー２０３と、マイク２０４の操作状況を示す表示部２０２とが設けられている。このように、リモコン２０１に表示部２０２およびキー２０３があるので、マイク録音に関する操作がリモコン２０１のみで可能である。
【００４１】
また、再生時に、ディスク１００から読み出された音と、マイク２０４から入力された音とをミックスするミックス回路１１３を備えている。このように、ミックス回路１１３を内蔵することにより、マイク音声と再生音声とをミックスしたミックス再生が可能となり、商品として例えばＤＳＰ部分にカラオケ回路（ボーカル音声をキャンセルする）を設けることにより、カラオケ音楽再生装置の提案等が可能となる。
【００４２】
なお、本発明に係る情報記録再生装置は、
記録媒体に情報を書き込み、記録媒体に書き込まれた情報を読み取るピックアップと、前記ピックアップにて読み込まれた再生信号を信号処理する信号処理部と、前記信号処理部からの再生信号を出力する第１端子と、を含む再生ラインと、
外部から記録媒体に記録する情報が入力される第２端子と、を含み、前記第２端子に入力された記録信号を前記信号処理部で信号処理し、前記信号処理部で信号処理された記録信号を記録ヘッド回路を介して前記記録媒体に記録信号を書き込む記録ラインと、
諸モードの実行を指令するための操作キーと、前記操作キーの操作に対応して記録モード再生モード等を実行すべく前記ピックアップ、前記記録ヘッド回路、前記信号処理部等に制御信号を送信するマイコンと、を具備する記録再生本体部と、
前記第１端子に設けられるマイク端子に装着可能なマイクと、前記第２端子に設けられるリモコンジャックに装着され前記本体部に設けられる操作キーと同じ役割を果たす操作キーが設けられ、さらに表示部を備えるリモコンユニットと、前記リモコンユニットと信号接続されるヘッドホンと、前記リモコンユニットで操作された操作信号が前記第１端子を介し前記マイコンに、前記マイコンで生成された表示信号が前記第１端子を介し前記リモコンユニットに送信される第１リモコンラインと、前記再生信号が前記第１端子を介し前記リモコンユニットさらにヘッドホンに送信される第２リモコンラインと、を具備する情報記録再生装置において、
前記マイクを前記リモコンユニット内に設け、前記リモコンユニットの前記操作キーには前記記録再生本体部での記録媒体に記録する記録キー以外にマイク作動させるためのマイク作動キーを含み、前記マイクから前記第２端子へのマイクラインを前記第１リモコンラインと前記第２リモコンラインと並列に一つのコードユニットとして線処理するように構成してもよい。
【００４３】
また、本発明に係る情報記録再生装置は、上記構成において、前記表示部に前記マイクが作動していることを示す表示がなされるように構成してもよい。
【００４４】
また、本発明に係る情報記録再生装置は、上記構成において、前記記録再生本体部にミックス回路を含み、再生時にマイクから入力した音声信号とミックスした音声をヘッドホンから出力するように構成してもよい。
【００４５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００４６】
アナログ情報をデジタル化して、または、デジタル情報をそのまま光磁気ディスク等の記録媒体に高密度で記録するような用途にも適用できる。
【図面の簡単な説明】
【００４７】
【図１】本発明に係る情報記録再生装置の一構成例を示すブロック図である。
【図２】本発明に係る情報記録再生装置の再生時の信号を示すブロック図である。
【図３】本発明に係る情報記録再生装置の録音モニタ時の信号を示すブロック図である。
【図４】本発明に係る情報記録再生装置のミックス再生時の信号を示すブロック図である。
【図５】従来の情報記録再生装置の一構成例を示すブロック図である。
【図６】従来の情報記録再生装置の再生時の信号を示すブロック図である。
【図７】従来の情報記録再生装置の録音モニタ時の信号を示すブロック図である。
【符号の説明】
【００４８】
１１      情報記録再生装置
１２      装置本体
１００    ディスク（記録媒体）
１０１    ピックアップ
１０２    ＲＦＩＣ
１０３    ＤＳＰ
１０４    １Ｂｉｔアンプ
１０５    ヘッドホンジャック
１０６１０６ａ、１０６ｂ    マイクジャック
１０７    マイクアンプ
１０８    ＡＤコンバータ
１０９    記録ヘッド回路
１１０    システムマイコン
１１１    表示部
１１２    キー
１１３    ミックス回路
２０１    リモコン
２０２    表示部
２０３    キー（マイク操作素子）
２０４    マイク
２０５    ケーブル
３０１    ヘッドホン
【図１】
2005302080.tif 000003
【図２】
2005302080.tif 000004
【図３】
2005302080.tif 000005
【図４】
2005302080.tif 000006
【図５】
2005302080.tif 000007
【図６】
2005302080.tif 000008
【図７】
2005302080.tif 000009